(57)【要約】【課題】フォーマット識別情報の抽出から伝送フォーマットの判定までの処理を少ない演算量により行えるようにし、消費電力の低減と受信処理の高速化を可能とする。【解決手段】ＴＴＩごとにその第１フレーム及び第２フレームから抽出されたＴＦＣＩに対してのみ軟判定復号して、その軟判定出力をもとに最も確からしいＴＦＣＩを判定する。そして、この判定されたＴＦＣＩをもとにレートマッチング処理部３７にレートマッチング用パラメータを設定すると共に、チャネル復号部３８にトランスポートチャネルのデータ数を設定し、以後この条件の下で上記ＴＴＩに含まれる全てのフレームについてレートマッチング、誤り訂正復号及びＣＲＣチェックを行うようにしたものである。【選択図】      図１
2006211593.tif 000002
【特許請求の範囲】
【請求項１】
物理チャネルを構成するＭ（３以上の整数）個のフレームを多重してこれをトランスポートチャネルの基本単位とし、このトランスポートチャネルによりデータを伝送すると共に、当該トランスポートチャネルにより伝送されるデータの伝送フォーマットを表すフォーマット識別情報を前記フレームごとに伝送するシステムで使用される無線受信装置において、
前記トランスポートチャネルの基本単位ごとに、当該基本単位を構成するＭ個のフレームの中から当該Ｍ個より少数のＮ（２以上の整数）個のフレームを選択し、この選択されたＮ個のフレームからそれぞれ前記フォーマット識別情報を抽出する手段と、
前記抽出されたＮ個のフォーマット識別情報の尤度に基づいて、当該Ｎ個のフォーマット識別情報の中から適切なフォーマット識別情報を選択する手段と、
前記選択されたフォーマット識別情報に基づいて、該当する前記基本単位を構成するＭ個のフレームに対する受信処理を行う手段と
を具備することを特徴とする無線受信装置。
【請求項２】
基本単位長の異なる複数のトランスポートチャネルを多重化して伝送する場合に、
前記フォーマット識別情報を抽出する手段は、
前記複数のトランスポートチャネルのうち基本単位長が最も短いトランスポートチャネルを選択する手段と、
前記選択されたトランスポートチャネルの基本単位ごとに、当該基本単位を構成するＭ個のフレームの中から当該フレーム数より少数のＮ個のフレームを選択し、この選択されたＮ個のフレームからそれぞれフォーマット識別情報を抽出する手段と
を備えることを特徴とする請求項１記載の無線受信装置。
【請求項３】
前記フォーマット識別情報を抽出する手段は、前記基本単位を構成するＭ個のフレームのうち先頭から連続するＮ個分のフレームを選択し、この選択されたＮ個のフレームからそれぞれフォーマット識別情報を抽出することを特徴とする請求項１又は２記載の無線受信装置。
【請求項４】
前記フォーマット識別情報を抽出する手段は、前記基本単位を構成するＭ個のフレームの中から互いに隣接しないＮ個のフレームを選択し、この選択されたＮ個のフレームからそれぞれフォーマット識別情報を抽出することを特徴とする請求項１又は２記載の無線受信装置。
【請求項５】
前記フォーマット識別情報を抽出する手段は、
前記トランスポートチャネルにより伝送されるデータのサービス種別を判定する手段と、
前記判定されたサービス種別に応じて、前記フレームの抽出数Ｎを可変設定する手段と
を、さらに備えることを特徴とする請求項１又は２記載の無線受信機。
【請求項６】
前記フォーマット識別情報を選択する手段は、前記抽出されたＮ個のフォーマット識別情報の尤度を比較し、その比較結果をもとに前記Ｎ個のフォーマット識別情報の中から尤度が最も高いフォーマット識別情報を選択することを特徴とする請求項１乃至５のいずれかに記載の無線受信装置。
【請求項７】
前記フォーマット識別情報を選択する手段は、
前記抽出されたＮ個のフォーマット識別情報の尤度の平均値を算出する手段と、
前記算出された平均値に基づいて、前記Ｎ個のフォーマット識別情報の中から前記平均値に最も近いフォーマット識別情報を選択する手段と
を備えることを特徴とする請求項１乃至５のいずれかに記載の無線受信装置。
【請求項８】
物理チャネルを構成するＭ（３以上の整数）個のフレームを多重してこれをトランスポートチャネルの基本単位とし、このトランスポートチャネルによりデータを伝送すると共に、当該トランスポートチャネルにより伝送されるデータの伝送フォーマットを表すフォーマット識別情報を前記フレームごとに伝送するシステムで使用される、コンピュータを備えた無線受信装置で使用される受信処理プログラムであって、
前記トランスポートチャネルの基本単位ごとに、当該基本単位を構成するＭ個のフレームの中から当該Ｍ個より少数のＮ（２以上の整数）個のフレームを選択するステップと、
前記選択されたＮ個のフレームからそれぞれ前記フォーマット識別情報を抽出するステップと、
前記抽出されたＮ個のフォーマット識別情報の尤度に基づいて、当該Ｎ個のフォーマット識別情報の中から適切なフォーマット識別情報を選択するステップと、
前記選択されたフォーマット識別情報に基づいて、該当する前記基本単位を構成するＭ個のフレームに対する受信処理を行うステップと
を、前記コンピュータに実行させることを特徴とする受信処理プログラム。
【発明の詳細な説明】
【技術分野】
【０００１】
この発明は、基地局と移動局との間の無線アクセス方式として、例えばＷ−ＣＤＭＡ（Wideband-Code Division Multiple Access）方式を採用したシステムにおいて、上記移動局に使用される無線受信装置とその受信処理プログラムに関する。
【背景技術】
【０００２】
移動通信システムに使用される無線アクセス方式の１つとして、Ｗ−ＣＤＭＡ方式が知られている。Ｗ−ＣＤＭＡ方式では、基地局から移動局へ向かうダウンリンクにおいて使用する物理チャネルの構成を次のように定義している。図７はそのフレーム構成を示す図である。
【０００３】
すなわち、物理チャネルは１５個のスロット＃０〜＃１４を多重して１つの無線フレームを構成する。１無線フレーム長は例えば１０msecに設定される。これに対し物理チャネルにより伝送されるトランスポートチャネル（ＴｒＣＨ）は、上記無線フレームを複数個多重してＴＴＩ（Transmmssion Timing Interval）という基本単位を構成する。連結するフレームの数は、例えば２、４又は８に設定される。図７では１ＴＴＩが４０msecの場合を例示している。
【０００４】
上記スロット＃０〜＃１４には、ＤＰＤＣＨ（Dedicated Physical Data CHannel）及び制御情報ＤＰＣＣＨ（Dedicated Physical Control CHannel）が設定される。ＤＰＤＣＨは、トランスポートチャネルのデータＤａｔａ１，Ｄａｔａ２を伝送するための使用される。ＤＰＣＣＨは、制御情報ＴＰＣ、ＴＦＣＩ及びＰｉｒｏｔを伝送するために使用される。このうちＴＰＣは送信電力制御情報、Ｐｉｌｏｔはパイロット符号である。
【０００５】
ＴＦＣＩ（Transport-Format-Combination Indicator）は、トランスポ―トチャネル（ＴｒＣＨ）により伝送されるデータ（ＤＰＤＣＨ）のフォーマットの組み合わせを示すもので、Reed-Muller符号化されて伝送される。物理チャネルは１無線フレームで完結しているため、ＴＦＣＩはＴＰＣやＰｉｒｏｔと同様に、スロット＃０〜＃１４に分散して挿入される該当する情報を連結することで再生される。
【０００６】
図８は、トランスポ―トチャネル（ＴｒＣＨ）のフォーマットの一例を示すものである。この例では、２つのトランスポ―トチャネルが多重化されたもの（ＣＣＴｒＣＨ：Coded Composite Transport CHannel）を受信した場合を示しており、ＤＣＨ０（ＤＣＨ：Dedicated CHannel）はＴＴＩが４０msecに、またＤＣＨ１はＴＴＩが８０msecにそれぞれ設定されている。ＤＣＨ０はＴＴＩを構成するフォーマット（ＴＦ；Tranport Format）を３種類（ＴＦ０，ＴＦ１，ＴＦ２）有し、ＤＣＨ１は同じく２種類のＴＦを有する。これらのフォーマットはＴＦＳ（Transport Format Set）と呼称される。
【０００７】
ＴＦＣＩは、具体的にはＴＦの組み合わせを示す番号からなり、上記図８に示すＴｒＣＨフォーマットに対しては図９に示すように設定される。例えば、ＴＦＣＩ＝４は、ＤＣＨ０がＴＦ２でかつＤＣＨ１がＴＦ０の組み合わせによりＤＰＤＣＨが構成されることを意味する。
【０００８】
なお、Ｗ−ＣＤＭＡの基本技術については３ＧＰＰ勧告に記されている。特に、ダウンリンクの物理チャネルのフレーム構成については、TS25.211において5.3.2 Dedicated downlink physical channelのFigure 9：Frame structure for downlink DPCHとして示されている。
【０００９】
ところで、移動局の無線受信装置では、トランスポートチャネル（ＴｒＣＨ）のデータを受信する場合、ＴＴＩごとに上記ＴＦＣＩを判定し、この判定されたＴＦＣＩを復号してトランスポートチャネルのフォーマットを認識する必要がある。  
そこで従来では、例えば次のような無線通信装置が提案されている。すなわち、基地局から送信されるトランスポートチャネルについて、先ずインタリーブ周期（ＴＴＩ）ごとにこのＴＴＩに含まれる全てのフレームからそれぞれＴＦＣＩを抽出する。そして、この抽出されたＴＦＣＩをそれぞれ復号してトランスポ―トフォーマットの組み合わせを判定する。次に、上記判定結果の中から尤も確からしいものを選択し、この選択されたトランスポ―トフォーマットの組み合わせに基づいて上記ＴＴＩの各フレームの受信処理を行う。（例えば、特許文献１を参照。）。
【特許文献１】特開２００３−３７５８３公報
【発明の開示】
【発明が解決しようとする課題】
【００１０】
ところが、上記従来の装置では、ＴＴＩに含まれる全てのフレームからＴＦＣＩを抽出したのち復号し、その復号結果を比較することにより、上記ＴＴＩにおけるトランスポ―トフォーマットの組み合わせを判定する必要がある。このため、ＴＦＣＩの復号処理に多くの時間と消費電力が必要となる。また、上記ＴＦＣＩの復号処理等のために、ＴＴＩに含まれる全てのフレームの受信符号をバッファに保存しなければならない。このため、大容量のバッファが必要となり、その分装置の大型化とコストアップを招く。これらの問題点はいずれも、装置の小型軽量化とバッテリ寿命の延長が最重要課題となっている携帯型の無線受信装置にあっては、きわめて好ましくない。
【００１１】
この発明は上記事情に着目してなされたもので、その目的とするところは、フォーマット識別情報の抽出から伝送フォーマットの判定までの処理を少ない演算量により行えるようにし、これにより消費電力の低減と受信処理の高速化を可能とする無線受信装置を提供することにある。
【課題を解決するための手段】
【００１２】
上記目的を達成するためにこの発明は、物理チャネルを構成するＭ（３以上の整数）個のフレームを多重してこれをトランスポートチャネルの基本単位とし、このトランスポートチャネルによりデータを伝送すると共に、当該トランスポートチャネルにより伝送されるデータの伝送フォーマットを表すフォーマット識別情報を前記フレームごとに伝送するシステムで使用される無線受信装置において、上記トランスポートチャネルの基本単位ごとに、当該基本単位を構成するＭ個のフレームの中から当該Ｍ個より少数のＮ（２以上の整数）個のフレームを選択し、この選択されたＮ個のフレームからそれぞれ上記フォーマット識別情報を抽出する。そして、この抽出されたＮ個のフォーマット識別情報の尤度に基づいて、当該Ｎ個のフォーマット識別情報の中から適当なフォーマット識別情報を選択し、この選択されたフォーマット識別情報に基づいて該当する上記基本単位を構成するＭ個のフレームに対する受信処理を行うようにしたものである。
【発明の効果】
【００１３】
したがってこの発明によれば、トランスポートチャネルの基本単位を構成するＭ個のフレームの中から選択された少数のＮ個のフレームについてのみフォーマット識別情報の抽出が行われる。そして、この抽出されたフォーマット識別情報の中から最も確からしいフォーマット識別情報が選択されて、この選択されたフォーマット識別情報をもとに上記Ｍ個の全てのフレームの受信処理が行われる。このため、常に全てのフレームからフォーマット識別情報を抽出して復号する場合に比べ、演算量が大幅に削減されて消費電力の低減と受信処理の高速化を図ることが可能となる。しかも、フォーマット識別情報を選択する際にその尤度に着目しているため、フォーマット識別情報の抽出対象フレームを少数フレームに制限しているにも拘わらず、信頼性の高いフォーマット識別情報を選択できる。
【００１４】
すなわちこの発明によれば、フォーマット識別情報の抽出から伝送フォーマットの判定までの処理を少ない演算量により行うことができ、これにより消費電力の低減と受信処理の高速化を可能とした無線受信装置を提供することができる。
【発明を実施するための最良の形態】
【００１５】
以下、図面を参照してこの発明の実施形態を説明する。  
図１はこの発明に係わる無線受信装置の一実施形態を示す機能ブロック図である。この無線受信装置は、アンテナ１と、無線ユニット２と、ベースバンド受信処理ユニット３と、アプリケーション処理ユニット４とを備えている。
【００１６】
無線ユニット１は、受信器２０及びアナログ／ディジタル（Ａ／Ｄ）変換器を有する。受信器２０は、アンテナ１により受信されたＷ−ＣＤＭＡ無線信号を増幅したのち復調してベースバンドの受信信号を出力する。Ａ／Ｄ変換器は上記ベースバンドの受信信号をディジタル信号に変換してベースバンド受信処理ユニット３に入力する。
【００１７】
ベースバンド受信処理ユニット３はＲＡＫＥ受信部３１を有する。ＲＡＫＥ受信部３１は、上記ベースバンドの受信信号に含まれる、伝送経路（パス）の異なる複数の信号をそれぞれ拡散符号により逆拡散処理する。そして、この逆拡散処理された各パスの信号を位相調整したのちシンボル合成し、これにより物理チャネルデータを出力する。この物理チャネルデータは、第２デ・インタリーバ３２によりデ・インタリーブされたのちセグメント合成部３３に入力され、ここで複数の物理チャネルデータがセグメント合成されて元の信号系列に復元される。
【００１８】
トランスポートチャネル（ＴｒＣＨ）デ・マルチプレクサ３４は、複数のトランスポートチャネルが多重化されている場合に、上記信号系列のデータを上記トランスポートチャネルごとに分割する。分割されたトランスポートチャネル別のデータは、第１デ・インタリーバ３５によりデ・インタリーブされたのち、トランスポートチャネル（ＴｒＣＨ）データバッファ３６を介してレートマッチング処理部３７に入力される。そして、このレートマッチング処理部３７から、チャネル復号部３８及びＣＲＣチェック部３９を経たのち、アプリケーション処理ユニット４内のデータ処理部４０に供給される。
【００１９】
ところで、ベースバンド受信処理部３は、ＴＦＣＩ検出部４１、ＴＦＣＩ判定部４２及びレートマッチング制御部４３を備えている。  
ＴＦＣＩ検出部４１は、上記ＲＡＫＥ受信部３１から出力された各物理チャネル（無線フレーム）ごとに、ＤＰＣＣＨからＴＣＦＩを抽出する。ＴＦＣＩ判定部４２は、先ずタイミング制御部３０から供給されるＴＴＩの開始タイミングに応じて、ＴＴＩ内の先頭に位置する第１フレームとそれに続く第２フレームから抽出されたＴＦＣＩをそれぞれ復号する。復号方式には軟判定復号が用いられる。次に、上記復号結果に基づいて、上記第１フレーム及び第２フレームのＴＦＣＩのうち、尤度の高い方を当該ＴＴＩのＴＦＣＩとして選択する。
【００２０】
レートマッチング制御部４３は、先ず上記選択されたＴＦＣＩを復号することによりトランスポートチャネルのデータフォーマット情報ＴＦＩを再生し、当該ＴＴＩを構成する各無線フレームに含まれるトランスポートチャネルのデータ数を割り出す。このデータ数はチャネル復号部３８に設定される。
【００２１】
またレートマッチング制御部４３は、上記割り出されたトランスポートチャネルのデータ数及び物理チャネルに包含されたデータ数をもとに、勧告（TS25.212  4.2.7 Rate matching）に従いレートマッチング処理に必要なパラメータを算出する。  
一般にレートマッチング処理は、トランスポートチャネルのデータレートを物理チャネルのフォーマット（伝送速度）に合致させるために行われる。具体的には、物理チャネルに含まれるデータ数に対しトランスポートチャネルのデータ数が多い場合にはパンクチャ（間引き）処理が、また少ない場合にはレピテーション（繰り返し）処理が行われる。  
したがって、レートマッチング制御部４３は、上記パラメータとして、上記パンクチャ処理又はレピテーション処理を行うビット位置を算出し、この算出されたパラメータをレートマッチング処理部３７に与える。
【００２２】
レートマッチング処理部３７は、該当するＴＴＩに含まれる全てのフレームのデータに対し、上記レートマッチング制御部４３から与えられたパラメータに従いパンクチャ（間引き）処理又はレピテーション（繰り返し）処理を行い、これによりトランスポートチャネルのデータレートを物理チャネルの伝送レートに合致させる。
【００２３】
このレートマッチング処理により得られた複数のトランスポートチャネルデータは、チャネル復号部３８に入力される。チャネル復号部３８は、上記レートマッチング制御部４３から通知されたデータ数に基づき、トランスポートチャネルのデータをＴＴＩごとに誤り訂正復号する。ＣＲＣチェック部３９は、上記誤り訂正復号されたトランスポートチャネルのデータに残る誤りを検出する。
【００２４】
プロトコル／モデム制御部４４は、通信プロトコルやモデムの動作を統括的に制御すると共に、上記ＣＲＣチェック部３９によりチェックが完了したトランスポートチャネルのデータを、そのサービス種別（例えば音声や映像）に応じて、アプリケーション処理ユニット４内の対応するデータ処理部４０に分配する。アプリケーション処理ユニット４の各データ処理部４０はそれぞれ、アプリケーション・プログラムに従い、上記入力された音声や映像をそれぞれ保存又は再生処理する。
【００２５】
なお、トランスポートチャネル（ＴｒＣＨ）データバッファ３６は、上記ＴＦＣＩ判定部４２によりＴＦＣＩが判定され、さらにその判定結果に基づいてレートマッチング制御部４３からレートマッチング処理部３７へのパラメータの設定、及びチャネル復号部３８へのデータ数の設定が完了するまで、第１デ・インタリーバ３５から出力されたトランポートチャネルのデータをフレーム単位で保持する。  
タイミング制御部３０は、ＣＰＩＣＨ（共通パイロットチャネル）などを用いて同期を確立し、各スロットのタイミング、各無線フレームのタイミング、ＴＴＩの先頭タイミング等を上記各機能部に供給する。
【００２６】
なお、上記ベースバンド受信ユニット３を構成する各機能部のうち、タイミング制御部３０、ＲＡＫＥ受信部３１、第２デ・インタリーバ３２、セグメント合成部３３、ＴｒＣＨデ・マルチプレクサ３４、第１デ・インタリーバ３５、ＴｒＣＨデータバッファ３６、レートマッチング処理部３７、チャネル復号部３８、ＣＲＣチェック部３９及びＴＦＣＩ検出部４１はハードウエアにより実現され、一方プロトコル／モデム制御部４４、ＴＦＣＩ判定部４２及びレートマッチング制御部４３はＤＳＰ（Digital Signal Processor）を使用したファームウエアにより実現される。
【００２７】
次に、以上のように構成された装置の受信処理動作を説明する。  
ベースバンド受信処理ユニット３は、タイミング制御部３０から発生されるタイミング信号に従い、無線フレーム周期ごとに次のような受信処理制御を実行する。図２及び図３はその制御手順と制御内容を示すフローチャートである。
【００２８】
すなわち、ＴＦＣＩ判定部４２は、先ずステップ２ａにおいて、ＲＡＫＥ受信部３１から物理チャネル（無線フレーム）のデータが出力されるごとに、当該フレームがＴＴＩの先頭フレームであるか否かを、タイミング制御部３０から供給されるＴＴＩの開始タイミングをもとに判定する。そして、上記出力されたフレームがＴＴＩの先頭フレームであれば、ステップ２ｂにより、ＴＣＦＩフラグをクリアすると共に、保存されている前ＴＴＩにおけるＴＦＣＩ復号結果と尤度の情報をクリアする。
【００２９】
続いてＴＦＣＩ判定部４２は、ステップ２ｃによりＴＦＣＩフラグが“オン”であるか否かを判定し、“オン”でなければステップ２ｄに移行し、上記出力されたフレームがＴＦＣＩ判定対象フレームであるか否かを判定する。そして、ＴＦＣＩ判定対象フレームであれば、ステップ２ｅにおいて上記判定対象フレームから抽出されたＴＦＣＩについて復号処理を行い、その復号結果と尤度の情報を保存する。
【００３０】
例えば、いまＴＴＩ内の先頭に位置する第１フレームとそれに続く第２フレームをＴＦＣＩ判定対象フレームとしている状態で、ＲＡＫＥ受信部３１から第１フレームが出力されたとする。この場合ＴＦＣＩ判定部４２は、上記ＲＡＫＥ受信部３１から出力されたフレームが第１フレームであるため、このフレームから抽出されたＴＦＣＩを軟判定復号し、その軟判定出力及び尤度情報を保存する。なお、上記出力フレームが第１及び第２のフレーム以外であれば、上記ステップ２ｅを素通りする。
【００３１】
そして、上記判定対象のＴＦＣＩの復号・保存処理が終了するとＴＦＣＩ判定部４２は、ＴＦＣＩ判定対象フレームの全てについて、ＴＦＣＩの軟判定出力及び尤度情報の取得が終了したか否かをステップ２ｆで判定する。そして、未取得であれば処理を終了して後続のフレームの入力を待つ。
【００３２】
後続の無線フレームがＲＡＫＥ受信部３１から出力されると、ＴＦＣＩ判定部４２は再びステップ２ａからステップ２ｆまでのＴＦＣＩ判定処理を実行する。そして、ＲＡＫＥ受信部３１から出力された無線フレームデータが第２フレームのデータであれば、この第２フレームから抽出されたＴＦＣＩを軟判定復号し、その復号結果及び尤度情報を保存する。
【００３３】
さて、上記したステップ２ａからステップ２ｆまでのＴＦＣＩ判定処理を繰り返すことにより、ＴＦＣＩ判定対象フレームの全てについて、ＴＦＣＩの軟判定出力及び尤度情報の取得が終了したとする。そうすると、ＴＦＣＩ判定部４２はステップ２ｇに移行する。そして、このステップ２ｇにおいて、先ず上記取得された第１及び第２のフレームのＴＦＣＩの尤度情報を相互に比較し、これらのうち尤度が高い方のＴＦＣＩを選択する。
【００３４】
例えば、いま図４に示すようにＴＴＩが４０msec、つまり１ＴＴＩに４フレームが含まれるトランスポートチャネルＤＣＨ０を受信した場合、ＴＦＣＩ判定部４２は上記ＴＴＩに含まれる４フレームのうち先頭の第１フレームとそれに続く第２フレームのＴＦＣＩについてそれぞれ復号して軟判定出力を得る。そして、得られた軟判定出力が図示するごとく“０．１”，“０．２”だったとすると、この場合はいずれの軟判定出力とも“０”に近いため、当該ＴＴＩのＴＦＣＩは“０”と判定する。
【００３５】
一方、上記復号の結果、軟判定出力が図示するごとく“０．９”，“０．４”だったとする。この場合、図５に示すように軟判定出力“０．４”は“０”の方に近いため“０”と判定される。しかし、このときの判定結果は真値“０”まで０．４の距離（不確からしさ）がある。これに対し、軟判定出力“０．９”は“１”の方に近いため“１”と判定され、しかもその不確からしさは０．１である。したがって、この場合には不確からしさの小さい方、つまり軟判定出力“０．９”をもとに判定した“１”を、当該ＴＴＩのＴＦＣＩと判定する。
【００３６】
上記ＴＦＣＩの判定結果が得られると、次にステップ２ｈにおいてレートマッチング制御部４３がレートマッチング処理に必要なパラメータを算出する。すなわち、先ず上記ＴＦＣＩの判定結果を復号することによりトランスポートチャネルのデータフォーマット情報ＴＦＩを再生する。そして、当該ＴＴＩを構成する各無線フレームに含まれるトランスポートチャネルのデータ数を割り出す。次に、上記割り出されたトランスポートチャネルのデータ数及び物理チャネルに包含されたデータ数をもとに、レートマッチング処理に必要なパラメータを算出する。
【００３７】
具体的には、先に述べたようにパンクチャ処理又はレピテーション処理を行うビット位置を算出し、この算出されたパラメータをレートマッチング処理部３７に設定する。またそれと共にレートマッチング制御部４３は、ステップ２ｉにより、上記割り出された当該ＴＴＩに含まれるトランスポートチャネルのデータ数を、チャネル復号部３８に設定する。
【００３８】
上記レートマッチング処理部３７へのパラメータの設定、及びチャネル復号部３８へのデータ数の設定が終了すると、ＴＦＣＩ判定部４２は最後にステップ２ｊにおいてＴＦＣＩフラグを“オン”に設定し、ＴＦＣＩ判定処理を終了する。
【００３９】
次に、レートマッチング処理以降の動作について述べる。  
先ずレートマッチング処理部３７では、ステップ２ｋにおいて次のようなレートマッチング処理が実行される。すなわち、該当するＴＴＩに含まれる全てのフレームのデータに対し、上記レートマッチング制御部４３から与えられたパラメータに従いパンクチャ（間引き）処理又はレピテーション（繰り返し）処理が行われる。かくして、トランスポートチャネルのデータレートは物理チャネルの伝送レートに合致される。
【００４０】
したがって、レートマッチング処理部３７からチャネル復号部３８へは、レピテーション処理の場合には重複されたビットが削除され、パンクチャ処理の場合には間引きされたビット位置に空のビットが充填された、本来のトランスポートチャネルのビット数のデータが出力される。なお，パンクチャリングされたビット位置に充てられた空のビットについては、チャネル復号部３８において最尤符号が割当てられる。
【００４１】
次に、チャネル復号部３８では、ステップ２ｍにおいて、上記レートマッチング制御部４３から通知されたデータ数に基づき、トランスポートチャネルのデータに対しフレームごとに誤り訂正復号される。ＣＲＣチェック部３９では、上記誤り訂正復号されたトランスポートチャネルのデータに誤りが残留しているか否かが判定される。
【００４２】
上記誤り訂正復号及びＣＲＣチェックが終了したデータは、プロトコル／モデム制御部４４によりそのサービス種別（例えば音声や映像）に応じてアプリケーション処理ユニット４内の対応するデータ処理部４０に分配される。アプリケーション処理ユニット４の各データ処理部４０ではそれぞれ、アプリケーション・プログラムに従い、上記入力された音声や映像の保存又は再生処理が行われる。かくして、受信入力された１フレームに対するデータ受信処理が終了する。
【００４３】
なお、ステップ２ｊにおいてＴＦＣＩフラグが一旦“オン”に設定されると、以後受信された同一ＴＴＩに含まれる後続フレームに対しては、ステップ２ｃからステップ２ｊによるＴＦＣＩ判定処理及びレートマッチング制御処理が省略され、ステップ２ｋからステップ２ｎによるトランスポートチャネルデータのレートマッチング処理、チャネル復号処理及び誤り検出処理が行われる。したがって、上記ＴＦＣＩ判定処理及びレートマッチング制御処理が省略される分だけ、ベースバンド受信処理ユニット３による消費電力は低減される。
【００４４】
以上述べたようにこの実施形態では、ＴＴＩごとにその第１フレーム及び第２フレームから抽出されたＴＦＣＩに対してのみ軟判定復号して、その軟判定出力をもとに最も確からしいＴＦＣＩを判定する。そして、この判定されたＴＦＣＩをもとにレートマッチング処理部３７にレートマッチング用パラメータを設定すると共に、チャネル復号部３８にトランスポートチャネルのデータ数を設定し、以後この条件の下で上記ＴＴＩに含まれる全てのフレームについてレートマッチング、誤り訂正復号及びＣＲＣチェックを行うようにしている。
【００４５】
したがって、ＴＴＩに含まれる全てのフレームからＴＦＣＩを抽出して復号する場合に比べ、演算量が大幅に削減されて消費電力の低減と受信処理の高速化を図ることが可能となる。しかも、ＴＦＣＩを判定する際にその尤度に着目しているため、ＴＦＣＩの判定対象フレームを２フレームに限定しているにも拘わらず、ＴＦＣＩの判定精度を高く保持することができる。さらに、ＴＦＣＩの判定対象フレームを、ＴＴＩの先頭に位置する第１フレームとそれに続く第２フレームとしているので、トランスポートチャネルデータバッファ３６の記憶容量を削減してこれにより装置の回路規模の小型化とコストダウンを図ることができる。
【００４６】
なお、この発明は上記実施形態に限定されるものではない。例えば、前記実施形態ではトランスポートチャネルを１チャネル伝送する場合を例にとって説明したが、ＴＴＩの異なる複数のトランスポートチャネルを多重化して伝送する場合にも、この発明は適用可能である。
【００４７】
図６は、その一例である他の実施形態を説明するための図である。この実施形態では、ＴＴＩが４０msecに設定されたトランスポートチャネルＤＣＨ０と、ＴＴＩが８０msecに設定されたトランスポートチャネルＤＣＨ１を多重化して伝送する場合を想定している。ＴＦＣＩ判定部４２は、上記２つのトランスポートチャネルＤＣＨ０，ＤＣＨ１のうちＴＴＩの短い方、つまりＤＣＨ０を選択する。そして、この選択されたトランスポートチャネルＤＣＨ０のＴＴＩ（＝４０msec）ごとに、その先頭に位置する第１フレームとそれに続く第２フレームからＴＦＣＩをそれぞれ抽出して軟判定復号する。続いてその２つの軟判定出力をもとに最も確からしいＴＦＣＩを選択して、この選択されたＴＦＣＩを復号することにより上記ＴＴＩ（＝４０msec）ごとのトランスミッションフォーマットＴＦ０〜ＴＦ２を判定する。
【００４８】
例えば、軟判定出力が図示するごとく“１．４”，“２．８”だったとする。この場合には、軟判定出力“１．４”は“１”の方に近いため“１”と判定される。しかし、このときの判定結果は真値“１”まで０．４の距離（不確からしさ）がある。これに対し、軟判定出力“２．８”は“３”に近いため“３”と判定され、しかもその不確からしさは０．２である。したがって、この場合には不確からしさの小さい方、つまり軟判定出力“２．８”をもとに判定した“３”を、当該ＴＴＩのＴＦＣＩと判定する。また、軟判定出力が図示するごとく“４．９”，“５．４”だったとすると、この場合にはいずれの軟判定出力とも“５”に近いため、当該ＴＴＩのＴＦＣＩは“５”と判定する。
【００４９】
したがって、この実施形態においても、前記実施形態と同様に、ＴＴＩごとにその第１フレーム及び第２フレームから抽出されたＴＦＣＩに対してのみ軟判定復号され、その軟判定出力をもとに最も確からしいＴＦＣＩが判定される。このため、ＴＦＣＩの判定処理に必要な演算量が大幅に削減されて消費電力の低減と受信処理の高速化を図ることが可能となる。しかも、この実施形態においても、ＴＦＣＩを判定する際にその尤度に着目しているため、ＴＦＣＩの判定対象フレームを２フレームに限定しているにも拘わらず、ＴＦＣＩの判定精度を高く保持することができる。さらには、ＴＦＣＩの判定対象フレームを、ＴＴＩの先頭に位置する第１フレームとそれに続く第２フレームとしているので、トランスポートチャネルデータバッファ３６の記憶容量を削減してこれにより装置の回路規模の小型化とコストダウンを図ることができる。
【００５０】
上記軟判定出力をもとにＴＦＣＩを判定するためのアルゴリズムとしては、軟判定出力の尤度を比較して最尤のものを選択する以外に、軟判定出力の平均値を算出してその算出値をもとにＴＦＣＩを判定するものを採用してもよい等、他にも種々アルゴリズムを適用できる。
【００５１】
また、前記実施形態ではＴＦＣＩの判定対象フレームとしてＴＴＩの先頭に位置する第１フレームとそれに続く第２フレームを選択する場合について述べた。しかし、これに限定されるものではなく、互いに隣接しない位置にある複数のフレームをＴＦＣＩの判定対象フレームとして選択するようにしてもよい。例えば、奇数番目のフレームまたは偶数番目のフレームを選択したり、或いは先頭フレームと最後尾のフレームを選択するようにしてもよい。
【００５２】
このようにあえて互いに隣接しない複数のフレームをＴＦＣＩの判定対象フレームとして選択することにより、フェージング等の影響により複数のフレームに跨ってバースト誤りが発生することが多い条件の下で使用される場合にあっては、上記バースト誤りの影響が軽減されてＴＦＣＩの判定精度を高めることが可能となる。
【００５３】
さらに、前記実施形態ではＴＦＣＩの判定対象フレームの選択数を固定した場合について説明したが、それに限定されるものではなく、例えばトランスポートチャネルのサービス種別の変化に応じて、ＴＦＣＩの判定対象フレームの選択数をＴＴＩ単位で適応的に可変設定するようにしてもよい。また、ＴＦＣＩの判定対象フレームの選択位置についても、例えば伝送路品質などに応じて適応的に可変設定するようにしてもよい。
【００５４】
さらに、前記実施形態ではベースバンド受信処理ユニット３の各機能部をハードウエアとソフトウエアとを併用することにより実現したが、全てをハードウエアのみ、或いはソフトウエアのみにより実現するようにしてもよい。  
その他、ＴＦＣＩの判定対象フレームの選択位置や選択数、トランスポートチャネルの多重数、ＴＴＩの長さ、無線受信装置の種類とその構成、ＴＦＣＩの判定処理手順と内容等についても、この発明の要旨を逸脱しない範囲で種々変形して実施できる。
【００５５】
要するにこの発明は、上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、各実施形態に示される全構成要素から幾つかの構成要素を削除してもよい。さらに、異なる実施形態に亘る構成要素を適宜組み合せてもよい。
【図面の簡単な説明】
【００５６】
【図１】この発明に係わる無線受信装置の一実施形態を示す機能ブロック図。
【図２】図１に示した無線受信装置のベースバンド受信処理ユニットによる受信処理手順と処理内容の前半部分を示すフローチャート。
【図３】図１に示した無線受信装置のベースバンド受信処理ユニットによる受信処理手順と処理内容の後半部分を示すフローチャート。
【図４】図１に示した無線受信装置のベースバンド受信処理ユニットによるＴＦＣＩ判定処理動作を説明するための図。
【図５】図４に示すＴＦＣＩ判定処理で使用される軟判定処理の一例を説明するための図。
【図６】この発明に係わる無線受信装置の他の実施形態におけるＴＦＣＩ判定処理動作を説明するための図。
【図７】Ｗ−ＣＤＭＡ方式で使用されるダウンリンク物理チャネルのフレーム構成を示す図。
【図８】トランスポートチャネルのフォーマットの一例を示す図。
【図９】ＴＦＣＩの一例を示す図。
【符号の説明】
【００５７】
１…アンテナ１、２…無線ユニット、３…ベースバンド受信処理ユニット、４…アプリケーション処理ユニット、２０…受信器、３０…タイミング制御部、３１…ＲＡＫＥ受信部、３２…第２デ・インタリーバ、３３…セグメント合成部、３４…トランスポートチャネル（ＴｒＣＨ）デ・マルチプレクサ、３５…第１デ・インタリーバ、３６…トランスポートチャネル（ＴｒＣＨ）データバッファ、３７…レートマッチング処理部、３８…チャネル復号部、３９…ＣＲＣチェック部、４０…データ処理部、４１…ＴＦＣＩ検出部、４２…ＴＦＣＩ判定部、４３…レートマッチング制御部、４４…プロトコル／モデム制御部。
【図１】
2006211593.tif 000003
【図２】
2006211593.tif 000004
【図３】
2006211593.tif 000005
【図４】
2006211593.tif 000006
【図５】
2006211593.tif 000007
【図６】
2006211593.tif 000008
【図７】
2006211593.tif 000009
【図８】
2006211593.tif 000010
【図９】
2006211593.tif 000011